(57)【要約】【課題】コネクタの調心機能を容易に設定できるようにする。【解決手段】調心機能付きコネクタは、前方から相手コネクタ９０に嵌合可能なコネクタ１０と、コネクタ１０を保持するホルダ４０と、ホルダ４０を取り付ける取付部材７０とを備える。コネクタ１０とホルダ４０には、ホルダ４０に対してコネクタ１０が前後方向、左右方向、上下方向のうち一方向又は二方向に変位するのを許容する第１変位許容部が設けられる。ホルダ４０と取付部材７０には、取付部材７０に対してホルダ４０が前後方向、左右方向、上下方向のうち第１変位許容部によって変位可能となる方向以外の方向に変位するのを許容する第２変位許容部が設けられている。【選択図】図２
2016091755.tif 000002
【特許請求の範囲】
【請求項１】
前方から相手コネクタに嵌合可能なコネクタと、前記コネクタを保持するホルダと、前記ホルダを取り付ける取付部材とを備え、
前記コネクタと前記ホルダには、前記ホルダに対して前記コネクタが前後方向、左右方向、上下方向のうち一方向又は二方向に変位するのを許容する第１変位許容部が設けられ、
前記ホルダと前記取付部材には、前記取付部材に対して前記ホルダが前後方向、左右方向、上下方向のうち前記第１変位許容部によって変位可能となる方向以外の方向に変位するのを許容する第２変位許容部が設けられていることを特徴とする調心機能付きコネクタ。
【請求項２】
前記左右方向は、前記コネクタが前記相手コネクタとの嵌合方向と平行な軸周りに沿って弧状に変位する方向であることを特徴とする請求項１記載の調心機能付きコネクタ。
【請求項３】
前記ホルダには、正面視弧状のアーチ部が設けられ、前記コネクタには、前記アーチ部が摺動可能に挿通される挿入部が設けられ、前記アーチ部と前記挿入部が、前記左右方向に変位可能な前記第１変位許容部を構成していることを特徴とする請求項２記載の調心機能付きコネクタ。
【請求項４】
前記取付部材が平板状をなし、前記ホルダには、前記取付部材の板厚方向となる上下方向で前記取付部材を弾性的に挟持可能な弾性片が設けられ、前記取付部材の板面と前記弾性片が、前記上下方向に変位可能な前記第２変位許容部を構成していることを特徴とする請求項１ないし３のいずれか１項記載の調心機能付きコネクタ。
【請求項５】
前記コネクタには、前記相手コネクタとの嵌合を開始するまでの間、前記第１変位許容部によって変位可能となる方向で互いに干渉することによって前記ホルダに対する前記コネクタの相対変位を規制する仮保持部が設けられていることを特徴とする請求項１ないし４のいずれか１項記載の調心機能付きコネクタ。
【発明の詳細な説明】
【技術分野】
【０００１】
本発明は、調心機能付きコネクタに関する。
【背景技術】
【０００２】
特許文献１には、互いに嵌合可能な雌雄一対のハウジングを備えた調心機能付きコネクタが開示されている。雌ハウジングは、内側の可動ブロックと外側の固定ブロックとの間に空隙を設けた内外二重の筐体として成形されている。可動ブロックは、前記間隙によって固定ブロックに対し左右前後に水平なＸ軸、Ｙ軸方向へ変位できるように弾性屈曲可能な複数の薄肉連結片で一体に連結されている。両ハウジングの嵌合力による負荷が過大なときには各薄肉連結片を介して可動ブロックが固定ブロックに対して垂直なＺ軸方向へ変位することにより、過大負荷を吸収することができると記載されている。
【先行技術文献】
【特許文献】
【０００３】
【特許文献１】特開２００２−９３５３１号公報
【発明の概要】
【発明が解決しようとする課題】
【０００４】
ところで、上記従来の調心機能付きコネクタの場合、固定ブロックと可動ブロックとの間の狭い間隙に複数の薄肉連結片が設けられているため、各薄肉連結片の形成位置を設定する際の自由度が低く、また、コネクタの調心機能を好適な状態に調整しにくいという問題がある。
【０００５】
本発明は上記のような事情に基づいて完成されたものであって、コネクタの調心機能を容易に設定することができるようにすることを目的とする。
【課題を解決するための手段】
【０００６】
本発明の調心機能付きコネクタは、前方から相手コネクタに嵌合可能なコネクタと、前記コネクタを保持するホルダと、前記ホルダを取り付ける取付部材とを備え、前記コネクタと前記ホルダには、前記ホルダに対して前記コネクタが前後方向、左右方向、上下方向のうち一方向又は二方向に変位するのを許容する第１変位許容部が設けられ、前記ホルダと前記取付部材には、前記取付部材に対して前記ホルダが前後方向、左右方向、上下方向のうち前記第１変位許容部によって変位可能となる方向以外の方向に変位するのを許容する第２変位許容部が設けられているところに特徴を有する。
【発明の効果】
【０００７】
コネクタの３次元的な相対変位を許容する手段がコネクタとホルダに設けられた第１変位許容部のみによってまかなわれずに、ホルダとコネクタに設けられた第２変位許容部によっても分担されるため、第１変位許容部の構造がとくに複雑になることがなく、第１変位許容部の形成位置を設定する際の自由度が高くなる。したがって、コネクタの調心機能を好適な状態に調整し易くなる。
【図面の簡単な説明】
【０００８】
【図１】本発明の実施例に係る調心機能付きコネクタの分離斜視図である。
【図２】調心機能付きコネクタの斜視図である。
【図３】調心機能付きコネクタの平面図である。
【図４】図３のＡ−Ａ線断面図である。
【図５】調心機能付きコネクタの正面図である。
【図６】図５のＢ−Ｂ線断面図である。
【図７】調心機能付きコネクタがソレノイドに設けられた相手コネクタと正対した状態を示す側面図である。
【図８】コネクタの平面図である。
【図９】コネクタの正面図である。
【図１０】コネクタの側面図である。
【図１１】ホルダの平面図である。
【図１２】ホルダの正面図である。
【発明を実施するための形態】
【０００９】
本発明の好ましい実施形態を以下に示す。
前記左右方向は、前記コネクタが前記相手コネクタとの嵌合方向と平行な軸周りに沿って弧状に変位する方向である。これによれば、コネクタに対して嵌合方向と平行な軸周りに回転させようとする外力が作用した場合にもその外力に対応してコネクタを変位させることができる。
【００１０】
前記ホルダには、正面視弧状のアーチ部が設けられ、前記コネクタには、前記アーチ部が摺動可能に挿通される挿入部が設けられ、前記アーチ部と前記挿入部が、前記左右方向に変位可能な前記第１変位許容部を構成している。挿入部に対するアーチ部の相対位置を見ることにより、コネクタの変位状態を確認することができる。
【００１１】
前記取付部材が平板状をなし、前記ホルダには、前記取付部材の板厚方向となる上下方向で前記取付部材を弾性的に挟持可能な弾性片が設けられ、前記取付部材の板面と前記弾性片が、前記上下方向に変位可能な前記第２変位許容部を構成している。コネクタに取付部材の板面に相当する構造を設けなくても、コネクタの上下方向への相対変位が可能となるため、コネクタの構造を簡単にすることができる。
【００１２】
前記コネクタには、前記相手コネクタとの嵌合を開始するまでの間、前記第１変位許容部によって変位可能となる方向で互いに干渉することによって前記ホルダに対する前記コネクタの相対変位を規制する仮保持部が設けられている。仮保持部によって嵌合前のコネクタを位置決め状態で保持しておくことができるため、コネクタと相手コネクタとの嵌合作業を迅速且つ円滑に開始することができる。
【００１３】
＜実施例＞
以下、本発明の実施例を図面に基づいて説明する。本実施例の調心機能付きコネクタは、相手コネクタ９０に嵌合可能なコネクタ１０と、コネクタ１０を保持する合成樹脂製のホルダ４０と、ホルダ４０を取り付ける金属製の取付部材７０とを備えている。コネクタ１０は、合成樹脂製のハウジング部分（後述するハウジング本体１１とホルダ係合部１２）と、図示しない導電金属製の端子金具とからなる。
【００１４】
図７に示すように、相手コネクタ９０は、円柱状をなすソレノイド８０の外周面に突設され、ソレノイド８０の回転変位に伴いソレノイド８０の軸周りに回転可能とされている。コネクタ１０は、取付部材７０に対しホルダ４０を介して待受け状態で保持され、相手コネクタ９０との嵌合開始時及び嵌合後に、相手コネクタ９０の回転動作等の動きに応じて相手コネクタ９０と一体に変位することが可能となっている。
【００１５】
ここで、コネクタ１０とホルダ４０には、ホルダ４０に対してコネクタ１０が前後方向（図２のＸ方向）及び左右方向（図２のＹ方向）に変位するのを許容する第１変位許容部（後述する挿入部２２、アーチ部４７、挿入開口部１６、係合突片４６）が設けられている。また、ホルダ４０と取付部材７０には、取付部材７０に対してホルダ４０が上下方向（図２のＺ方向）に変位するのを許容する第２変位許容部（後述する弾性片５１、５２、取付部材７０の板面）が設けられている。このため、コネクタ１０は、取付部材７０に対し、ホルダ４０を介して、前後方向、左右方向、上下方向に３次元的に変位可能となっている。さらに、コネクタ１０には、相手コネクタ９０との嵌合を開始するまでの間、コネクタ１０の前後方向及び左右方向への相対変位を規制することによって仮保持状態に略位置決めする仮保持部（後述する下側突部１８、上側突部２４、２５）が設けられている。
【００１６】
取付部材７０は、図１に示すように、平板状のプレートであって、図７に示すように、機器１００側に図示しない固定手段を介して固定されるようになっている。図３に示すように、取付部材７０の前縁には、前方からコネクタ１０が入り込む平面視角Ｕ字形の凹部７１が設けられている。図１及び図３に示すように、取付部材７０には、凹部７１を挟んだ左右両側に、一対の係合孔７２が設けられている。両係合孔７２は、前後方向に細長く延出するスリット状をなしている。取付部材７０の板面となる上下両面には、ホルダ４０の後述する弾性片５１、５２が弾性的に当接可能とされている。取付部材７０の上下両面は、弾性片５１、５２とともに、コネクタ１０の上下方向への相対変位を許容する第２変位許容部を構成している。
【００１７】
図８〜図１０に示すように、コネクタ１０のハウジング部分は、前後方向に細長い略角ブロック状のハウジング本体１１と、ハウジング本体１１の後端に一体に連なって上下方向及び左右方向に張り出し且つ後方に突出する略角箱状のホルダ係合部１２とからなる。ハウジング本体１１には、後方から図示しない端子金具を挿入可能な左右一対のキャビティ１３が設けられている。端子金具は電線の端末部に接続され、両コネクタ１０、９０の嵌合時に、相手コネクタ９０に装着された図示しない相手端子金具と電気的に接続可能とされている。ハウジング本体１１の上面には、ロックアーム１４が一体に突設されている。ロックアーム１４は、ハウジング本体１１の上面前端から立ち上がったあと後方へ延出し、その後端がホルダ係合部１２に一体に連結される両持ち梁状をなしている。ロックアーム１４の前後方向略中央部には、ロック部１５が上方に突出して設けられている。
【００１８】
図６及び図９に示すように、ホルダ係合部１２の下端部には、ハウジング本体１１の下面との間に、左右方向に細長いスリット状の挿入開口部１６が設けられている。挿入開口部１６には、ホルダ４０の後述する係合突片４６が後方から挿入可能とされている。挿入開口部１６は、係合突片４６とともに、コネクタ１０の左右方向への相対変位を許容する第１変位許容部を構成している。
【００１９】
ホルダ係合部１２のうち挿入開口部１６の下端を区画する部分は、挿入開口部１６の左右方向略中央部の上下幅を狭めるように湾曲する湾曲部１７とされている。湾曲部１７は、両コネクタ１０、９０の嵌合時に、ソレノイド８０の外周面に沿って配置されるようになっている。
【００２０】
また、図４、図６及び図９に示すように、ハウジング本体１１のうち挿入開口部１６の上端を区画する部分には、挿入開口部１６を臨む下面に、左右方向に間隔をあけて一対の小突起状の下側突部１８が設けられている。下側突部１８は、挿入開口部１６に挿入された係合突片４６の左右両端と当接可能とされ、ホルダ４０に対するコネクタ１０の左右方向への変位を規制する仮保持部となっている。
【００２１】
図８及び図１０に示すように、ホルダ係合部１２の上端部には、平面視矩形枠状の枠部１９が設けられ、枠部１９とその下方で対向する位置に、左右方向に間隔をあけて一対の水平板状の棚部２１が設けられている。図４及び図１０に示すように、枠部１９と棚部２１との間には、側面視で前後方向に延出して後方に開口するとともに背面視で左右方向に貫通する挿入部２２が設けられている。挿入部２２には、ホルダ４０の後述するアーチ部４７が後方から挿入可能とされている。挿入部２２は、アーチ部４７とともに、コネクタ１０の左右方向への相対変位を許容する第１変位許容部を構成している。
【００２２】
図６に示すように、ホルダ係合部１２のうち、挿入部２２の前端を区画する部分は、アーチ部４７の前端を当て止め可能な前方ストッパ部２３とされている。両棚部２１には、挿入部２２を臨む上面に、前後方向に間隔をあけて一対の小突起状の上側突部２４、２５が設けられている。上側突部２４、２５は、挿入部２２に挿入されたアーチ部４７の前後両端と当接可能とされ、ホルダ４０に対するコネクタ１０の前後方向への変位を規制する仮保持部となっている。
【００２３】
図６及び図１０に示すように、上側突部２４、２５のうち、後側に位置するものは、棚部２１の後端に設けられ、前側に位置するものよりも突出寸法の大きい後方ストッパ部２５となっている。後方ストッパ部２５は、アーチ部４７の後端を当て止め可能とされている。ここで、アーチ部４７は、挿入部２２に挿入された状態で、後方ストッパ部２５と前方ストッパ部２３との間を前後方向に移動可能とされている。ホルダ係合部１２の挿入部２２（詳細には前方ストッパ部２３と後方ストッパ部２５との間）は、アーチ部４７とともに、コネクタ１０の前後方向への相対変位を許容する第１変位許容部を構成している。そして、ホルダ係合部１２には、ハウジング本体１１の後面の左右両端に沿って、図６及び図１０に示すように、湾曲部１７から棚部２１にかけて前後方向に拡張してなる一対の支持板部２６が設けられている。
【００２４】
続いて、ホルダ４０について説明する。図３に示すように、ホルダ４０は、取付部材７０とコネクタ１０との間に介在して設けられ、取付部材７０の凹部７１に入り込むとともに、コネクタ１０を受け入れることが可能な基体部４１を有している。図１１及び図１２に示すように、基体部４１は、左右方向に沿った底板部４２と、底板部４２の左右両端から立ち上がる一対の側板部４３と、底板部４２の後端から立ち上がり且つ両側板部４３の後端に沿って連なる背板部４４とを有している。背板部４４には、両側板部４３に連なる左右部分を残して電線導出口４５が開口して設けられている。コネクタ１０がホルダ４０に保持されると、ハウジング本体１１の両キャビティ１３と電線導出口４５がホルダ係合部１２の内部空間を介して連通した状態となり、端子金具に接続された電線が電線導出口４５から外部に引き出されるようになっている。
【００２５】
図１、図１１及び図１２に示すように、底板部４２の前端の左右方向略中央部には、板片状の係合突片４６が前方に突出して設けられている。コネクタ１０がホルダ４０に保持されると、図４〜図６に示すように、係合突片４６が、コネクタ１０の挿入開口部１６に挿入され、下側突部１８間に左右方向への遊動を規制された状態で配置されるようになっている。
【００２６】
図２及び図３に示すように、両側板部４３は、その前端が底板部４２の前端よりも前方に位置し、コネクタ１０がホルダ４０に保持されたときに、ホルダ係合部１２の左右両側を覆うように配置される。図１２に示すように、両側板部４３の内面上端部には、対向状に突出する一対のアーチ部４７が設けられている。両アーチ部４７は、左右方向略中央へ向けて起き上がるように突出する片持ち梁状をなし、全体として湾曲する形態になっている。ホルダ４０に保持されたコネクタ１０が相手コネクタ９０と嵌合されると、ソレノイド８０の軸心を中心とする円弧上に沿うようにして両アーチ部４７が配置されるようになっている。
【００２７】
図１２に示すように、両側板部４３の外面上端部には、一対の略角ブロック状の基部４８が設けられ、基部４８の左右両端からは下方に突出する一対の板片状の突入片４９が設けられている。図２に示すように、ホルダ４０が取付部材７０に取り付けられると、両突入片４９が対応する係合孔７２に挿入され、ホルダ４０に対して取付部材７０が係合孔７２の隙間範囲で若干の揺動を許容されつつ概略位置決めされるようになっている。
【００２８】
また、図１２に示すように、両側板部４３の外面には、上下方向に間隔をあけて一対ずつの弾性片５１、５２が設けられている。各弾性片５１、５２のうち上側の弾性片５１は、基部４８の左右両端から側方へ向けて徐々に垂れ下がるように突出する板片状の形態とされている。
【００２９】
各弾性片５１、５２のうち下側の弾性片５２は、図１２に示すように、両側板部４３の外面から側方へ次第に起き上がるように突出する板片状の形態とされ、図１及び図１１に示すように、突出端側が上側の弾性片５１よりも大きい板幅（前後寸法）を有している。また、上下夫々の弾性片５１、５２の突出端間には、これら弾性片５１、５２が自然状態にあるときに、上下方向に関して取付部材７０の板厚よりも少し小さい間隙が形成されている。図２、図４、図５に示すように、ホルダ４０が取付部材７０に取り付けられると、上下夫々の弾性片５１、５２が取付部材７０の上下両面に弾性的に当接して配置され、上下夫々の弾性片５１、５２の突出端間に取付部材７０が板厚方向に挟まれるようになっている。このとき、ホルダ４０は、各弾性片５１、５２の弾性力によって取付部材７０に対して上下方向に弾性的に変位可能となっている。
【００３０】
次に、本実施例の作用を説明する。
まず、ホルダ４０に前方からコネクタ１０を接近させ、コネクタ１０の挿入開口部１６にホルダ４０の係合突片４６を進入させるとともに、コネクタ１０の挿入部２２にホルダ４０の両アーチ部４７を進入させる。このとき、両アーチ部４７が後方ストッパ部２５を弾性的に乗り越えて両上側突部２４、２５間に前後方向に位置決めされた状態で挿入部２２に配置されるとともに（図６を参照）、係合突片４６が両下側突部１８間に左右方向に位置決めされた状態で挿入開口部１６に配置される（図４及び図５を参照）。また、両アーチ部４７が枠部１９と両棚部２１との間に上下方向に挟まれるとともに、係合突片４６がハウジング本体１１と湾曲部１７との間に上下方向に挟まれることにより（図４を参照）、ホルダ４０に対してコネクタ１０が上下方向に傾倒するのが規制される。これにより、コネクタ１０がホルダ４０に対して位置決めされた状態で保持される。
【００３１】
続いて、取付部材７０の凹部７１に前方からホルダ４０を挿入させる。このとき、取付部材７０で下側の弾性片５２を撓ませることにより、上下夫々の弾性片５１、５２の突出端間の隙間を押し広げ、ホルダ４０の突入片４９を取付部材７０の係合孔７２まで至らしめる。取付部材７０の凹部７１にホルダ４０が正規に挿入されると、下側の弾性片５２の撓み状態が解除され、取付部材７０の係合孔７２に突入片４９が上方から進入させられる（図１及び図４を参照）。これにより、上下夫々の弾性片５１、５２の突出端間に取付部材７０が弾性的に挟まれ、突入片４９によって概略位置決めされた状態で、ホルダ４０が取付部材７０に取り付けられる。なお、取付部材７０にホルダ４０を取り付ける作業は、ホルダ４０にコネクタ１０を保持させる作業の前に行ってもよい。
【００３２】
こうして取付部材７０にホルダ４０を介して待受け状態で保持されたコネクタ１０に対し、前方から相手コネクタ９０を嵌合させる（図７を参照）。コネクタ１０が相手コネクタ９０と正対した状態にあれば、両コネクタ１０、９０の嵌合動作が支障なく進行し、ロックアーム１４のロック部１５が相手コネクタ９０のロック受部９１に弾性的に嵌まり込むことにより、両コネクタ１０、９０が離脱規制された状態に保持される。
【００３３】
一方、両コネクタ１０、９０が正対位置から位置ずれした状態で嵌合されると、両コネクタ１０、９０に設けられた誘い込み構造（例えば、コネクタ１０の場合は図１〜図３の面取部２８等）によって両コネクタ１０、９０が嵌合し始め、さらなる嵌合の進行とともに両コネクタ１０、９０の嵌合軸が揃うようにコネクタ１０の嵌合姿勢が立て直される。
【００３４】
例えば、ソレノイド８０の回転に伴い、相手コネクタ９０がソレノイド８０の軸心と平行な軸周りに周方向に変位すると、相手コネクタ９０と嵌合状態にあるコネクタ１０も追従して変位する。具体的には、両アーチ部４７が挿入部２２に対して左右方向に相対変位することにより、両アーチ部４７の湾曲形状に沿うようにコネクタ１０が周方向に変位する。このとき、係合突片４６が下側突部１８を弾性的に乗り越えることで、コネクタ１０の左右方向への変位規制状態が解除可能となる。
【００３５】
本実施例の場合、仮に、ホルダ係合部１２が取付部材７０の側板部４３の内面に干渉する位置までコネクタ１０が大きく変位させられても、両アーチ部４７が挿入部２２に挿入された状態が維持されるように、両アーチ部４７の突出寸法が設定されている。また、挿入部２２に対する両アーチ部４７の挿入深さを上方から見ることにより、コネクタ１０の左右方向への変位量を目視により確認することができる。そして、ホルダ４０の各弾性片５１、５２が弾性撓みし、且つ、ホルダ４０の両突入部が取付部材７０の係合孔７２の隙間範囲で揺動することによっても、ホルダ４０を介してコネクタ１０の周方向への変位が許容される。
また、例えば、各弾性片５１、５２が弾性撓みすることにより、取付部材７０に対するホルダ４０の上下位置が変動し、ひいてはコネクタ１０の上下方向への相対変位が可能となる。さらに、両アーチ部４７が前方ストッパ部２３と後方ストッパ部２５との間で前後方向に変位することにより、ホルダ４０に対するコネクタ１０の前後位置が変動し、ひいてはコネクタ１０の前後方向への相対変位が可能となる。このとき、両アーチ部４７が前側の上側突部２４を弾性的に乗り越えることで、ホルダ４０に対してコネクタ１０が前進移動する。こうしてコネクタ１０が前後方向、左右方向、上下方向に３次元的にほぼ自在に相対変位することにより、嵌合状態にある相手コネクタ９０の動きに対応することが可能となる。
【００３６】
本実施例の場合、ソレノイド８０が機器１００側のソレノイド受部１０１に挿入されて図示しない固定手段で固定されることにより、相手コネクタ９０の動きが停止され、両コネクタ１０、９０が正規嵌合された状態になる。このとき、両アーチ部４７が前方ストッパ部２３に当て止めされるとともに、湾曲部１７を含むホルダ係合部１２の下端部が取付部材７０の底板部４２の前端に当て止めされることにより、コネクタ１０のそれ以上の後退が規制される。
【００３７】
以上説明したように、本実施例によれば、コネクタ１０が前後方向、左右方向、上下方向に相対変位するに際し、コネクタ１０とホルダ４０に設けられた第１変位許容部（挿入部２２、アーチ部４７、挿入開口部１６、係合突片４６）によってコネクタ１０の前後方向及び左右方向への相対変位が可能となり、ホルダ４０とコネクタ１０に設けられた第２変位許容部（弾性片５１、５２、取付部材７０の板面）によってコネクタ１０の上下方向への相対変位が可能となるため、コネクタ１０とホルダ４０に上下方向への相対変位を可能とする構造を設ける必要がない。したがって、コネクタ１０の構造を簡単にすることができ、第１変位許容部を設定する際の自由度が高められる。その結果、コネクタ１０の調心機能を容易に設定することができる。
【００３８】
また、コネクタ１０が相手コネクタ９０との嵌合方向と平行な軸周りに沿って弧状に変位することにより、相手コネクタ９０の変位方向の動きにも柔軟に対応することができる。この場合、アーチ部４７に対するコネクタ１０の相対位置を見ることにより、コネクタ１０の変位状態を確認することができる。
【００３９】
さらに、コネクタ１０には、両コネクタ１０、９０の嵌合開始前に、コネクタ１０の前後方向、左右方向への相対変位を規制する仮保持部（下側突部１８、係合突片４６、上側突部２４、２５、アーチ部４７）が設けられているため、嵌合開始前のコネクタ１０を位置決め状態で保持しておくことができ、コネクタ１０と相手コネクタ９０との嵌合作業を迅速且つ円滑に開始することができる。
【００４０】
＜他の実施例＞
以下、他の実施例を簡単に説明する。
（１）コネクタとホルダにも、コネクタの上下方向への相対変位を許容する構造を設けてもよい。
（２）ホルダと取付部材にも、コネクタの前後方向又は左右方向への相対変位を許容する構造を設けてもよい。
（３）第１変位許容部は、コネクタの前後方向への相対変位のみを許容するものであってもよい。その場合、第２変位許容部は、コネクタの左右方向、上下方向への相対変位を許容するものとなる。
（４）第１変位許容部は、コネクタの左右方向への相対変位のみを許容するものであってもよい。その場合、第２変位許容部は、コネクタの前後方向、上下方向への相対変位を許容するものとなる。
（５）本実施例とは逆に、第１変位許容部はコネクタの上下方向への相対変位を許容するものであり、第２変位許容部がコネクタの前後方向、左右方向への相対変位を許容するものであってもよい。
（６）取付部材は合成樹脂製であってもよい。
【符号の説明】
【００４１】
１０…コネクタ
１６…挿入開口部（第１変位許容部）
１８…下側突部（仮保持部）
２２…挿入部（第１変位許容部）
２４…上側突部（仮保持部）
２５…後方ストッパ部（上側突部、仮保持部）
４０…ホルダ
４６…係合突片（第１変位許容部）
４７…アーチ部（第１変位許容部）
５１…上側の弾性片（第２変位許容部）
５２…下側の弾性片（第２変位許容部）
７０…取付部材
９０…相手コネクタ
【図１】
2016091755.tif 000003
【図２】
2016091755.tif 000004
【図３】
2016091755.tif 000005
【図４】
2016091755.tif 000006
【図５】
2016091755.tif 000007
【図６】
2016091755.tif 000008
【図７】
2016091755.tif 000009
【図８】
2016091755.tif 000010
【図９】
2016091755.tif 000011
【図１０】
2016091755.tif 000012
【図１１】
2016091755.tif 000013
【図１２】
2016091755.tif 000014